(57)【要約】【課題】本発明は移動体通信方法及びシステムに関し、格納される再送バッファが容易に特定でき、再送バッファが削減できると共に、再送フレームデータなのかを認識するためのサーチ処理が不要な移動体通信方法及びシステムを提供することを目的としている。【解決手段】第１の通信装置１と第２の通信装置４とが無線でデータの送受を行なう移動体通信方システムにおいて、フレームのオーバヘッドの部分に再送バッファの使用位置を記憶するバッファ管理番号を付与するバッファ管理番号付与手段１０と、何れか一方の通信装置が送信装置として機能する場合に、相手方受信装置からデータ受信異常の制御信号を受け取ったら、前記バッファ管理番号付与手段１０を起動してバッファ管理番号記憶部に再送するバッファの番号を書き込んで再送する制御手段１１と、を設けて構成される。【選択図】      図２
2004349783.tif 000002
【特許請求の範囲】
【請求項１】
第１の通信装置と第２の通信装置とが無線でデータの送受を行なう移動体通信方法において、フレームのオーバヘッドの部分に再送バッファの使用位置を記憶するバッファ管理番号記憶部を設け（ステップ１）、
何れか一方の通信装置が送信装置として機能する場合に、相手方受信装置からデータ受信異常の制御信号を受け取ったら、前記バッファ管理番号記憶部に再送するバッファの番号を書き込んで再送する（ステップ２）
ようにしたことを特徴とする移動体通信方法。
【請求項２】
第１の通信装置と第２の通信装置とが無線でデータの送受を行なう移動体通信方システムにおいて、フレームのオーバヘッドの部分に再送バッファの使用位置を記憶するバッファ管理番号を付与するバッファ管理番号付与手段と、
何れか一方の通信装置が送信装置として機能する場合に、相手方受信装置からデータ受信異常の制御信号を受け取ったら、前記バッファ管理番号付与手段を起動してバッファ管理番号記憶部に再送するバッファの番号を書き込んで再送する制御手段と、
を設けて構成される移動体通信システム。
【請求項３】
前記第１の通信装置は無線基地局、第２の通信装置は移動基地局であることを特徴とする請求項２記載の移動体通信システム。
【請求項４】
前記移動基地局は、無線基地局から再送されてきたフレームデータを受け取って、当該フレームデータのバッファ管理番号記憶部分からバッファ番号を読み取り、該バッファ番号が既に送信されているフレームデータのバッファ番号と同じであることを認識すると、当該フレームデータを破棄することを特徴とする請求項３記載の移動体通信システム。
【発明の詳細な説明】
【０００１】
【発明の属する技術分野】
本発明は移動体通信方法及びシステムに関する。
【０００２】
【従来の技術】
図６は無線通信システムの概念図である。第１の通信装置１と、第２の通信装置４とが無線でデータの送受を行なう。第１の通信装置１において、２はデータを保持するバッファ、３はデータを無線で送受するためのアンテナである。第２の通信装置４において、５はデータを保持するバッファ、６はデータを無線で送受するためのアンテナである。
【０００３】
このように構成されたシステムにおいて、第１の通信装置１を送信装置、第２の通信装置４を受信装置として考えると、バッファ２に保持されているデータは１個ずつ読み出されて、アンテナ３を介して送信される。受信装置４側では、送信されてきたデータをアンテナ６で受信してデータを抽出し、バッファ５に保持する。
【０００４】
この種の無線通信において、多数のパケットを伝送する際、それぞれのパケットにオーバヘッドを付加したデータを送信するのではなく、複数のパケットを１つのフレームにまとめてフレームデータとし、このフレームデータにオーバヘッドを付加してフレーム単位でデータの転送を行なう技術が知られている（例えば特許文献１参照）。
【０００５】
図７はフレームデータの従来構成例を示す図である。図に示すように、フレームデータは、オーバヘッド部と実データ部より構成されている。オーバヘッド部は、送信先ＩＤと、フレーム（Ｆｒａｍｅ）番号と、有効パケット数等より構成されている。ここで、送信先ＩＤは、送信先通信装置を特定するためのＩＤであり、フレーム番号はフレーム毎に付与される通番であり、有効パケット数はデータ部に含まれるパケットの数である。
【０００６】
実データ部は、所定の数（Ｎ）だけのパケットと、Ｎ個分のＣＲＣから構成されている。パケットは、＃１〜＃ＮまでのＮ個あり、ＣＲＣはパケット数分のＣＲＣ結果を示している。ここで、ＣＲＣ（Ｃｙｃｌｉｃ  ＲｅｄｕｎｄａｎｃｙＣｈｅｃｋ）とは、データ転送の誤りを受信側で自動的に見つけて訂正することができる機構のことである。
【０００７】
例えば、図６において、第１の通信装置が無線基地局、第２の通信装置が移動基地局であるものとする。無線基地局と移動基地局間において、フレームデータを送受信する際、受信側装置が正しくフレームデータを受信できなかった場合、送信側装置にフレームデータの再送要求を行なう再送制御が行なわれる。
【０００８】
高速無線通信においては、送信側装置がフレームデータを送信してから、受信側装置がフレームデータを正しく受信したのかを変換するＡＣＫ／ＮＡＣＫ応答を送信側装置が受信するまでの間（いわゆる伝送遅延時間）にも複数のフレームデータを送受信している。
【０００９】
図８は従来のデータ通信のシーケンス例を示す図である。ここでは、送信側装置とて無線基地局を、受信側装置として移動基地局が用いられる場合を示している。伝送遅延時間とは、図に示すようにフレーム（Ｆｒａｍｅ）＃１から無線基地局から移動基地局へ送信されて、該移動基地局から無線基地局に戻ってくるまでの時間である。この例では、各フレームは、例えば５００μＳおきに送信される。
【００１０】
Ｆｒａｍｅ＃１に関し、移動基地局で受信ＮＧだったので、移動基地局は無線基地局に対してＮＡＣＫを返信する。ＮＡＣＫを受信した無線基地局では、Ｆｒａｍｅ＃１を再送する。次に、Ｆｒａｍｅ＃２に関し、移動基地局で受信ＯＫだったので、無線基地局に対して対してＡＣＫを返信する。ＡＣＫを受信した無線基地局は、次に移動基地局に対して新規Ｆｒａｍｅ（Ｆｒａｍｅ＃１４）を送信する。
【００１１】
また、Ｆｒａｍｅ＃３に関し、移動基地局で受信ＯＫだったので、無線基地局に対してＡＣＫを返信する。しかしながら、移動基地局と無線基地局間で通信障害が発生し、無線基地局でそのＡＣＫを受信できなかった時には、Ｆｒａｍｅ＃３を再送することになる。移動基地局では、Ｆｒａｍｅ＃３を正常に受信しているので、再送されたＦｒａｍｅ＃３は破棄し、ＡＣＫを再度無線基地局に送信する。この時、「一度受信しているか」の判断のために、再送バッファからＦｒａｍｅ＃３の有無を検索する必要がある。
【００１２】
【特許文献１】
特開２０００−５９４３５号公報（第２頁、第３頁、図１）
【００１３】
【発明が解決しようとする課題】
前述した従来技術において、移動基地局が正常にデータを受信しても、無線基地局から同じフレームデータが再送される可能性があり、その確認に受信バッファを保持しておく必要がある。このため、受信バッファは規定された再送回数に達するまで、解放できないとことがありうる。つまり、「伝送遅延時間内の送信フレーム数×再送回数」分の再送バッファが必要になる。
【００１４】
このため、無線基地局装置及び移動基地局においては、再送制御のために膨大な再送バッファが必要となっている。そのため、再送回数が増加すると、大量にメモリ領域を必要とするため、メモリにかかるコストが高くなり、また物理的なサイズも大きくなってしまう。
【００１５】
また、新規フレームデータが送信されたのか、無線基地局がＡＣＫ受信ＮＧのため再送してきたのか判断するために、再送バッファを検索する必要があり、再送バッファ数が多いとその検索処理に時間がかかってしまい処理性能を低下させている。
【００１６】
本発明はこのような課題に鑑みてなされたものであって、格納される再送バッファが容易に特定でき、再送バッファが削減できると共に、再送フレームデータなのかを認識するためのサーチ処理が不要な移動体通信方法及びシステムを提供することを目的としている。
【００１７】
【課題を解決するための手段】
本発明では、無線基地局と移動基地局で送受されるフレームデータのオーバヘッド情報にバッファ管理番号を付与するようにした。バッファ管理番号は、送信フレームデータを格納する受信バッファを示す番号であり、伝送遅延時間内に送信されるフレーム個数だけの値を取りうるものとする。図８のように伝送遅延時間に１３フレームの送信が行なわれる場合、「１〜１３」の値となる。それにより、格納される再送バッファが容易に特定でき、再送バッファが削減できると共に、再送フレームデータなのかを認識するためのサーチ処理が不要となる。
（１）請求項１記載の発明は、以下の通りである。図１は本発明方法の原理を示すフローチャートである。本発明は、第１の通信装置と第２の通信装置とが無線でデータの送受を行なう移動体通信方法において、フレーム（Ｆｒａｍｅ）のオーバヘッドの部分に再送バッファの使用位置を記憶するバッファ管理番号記憶部を設け（ステップ１）、何れか一方の通信装置が送信装置として機能する場合に、相手方受信装置からデータ受信異常の制御信号を受け取ったら、前記バッファ管理番号記憶部に再送するバッファの番号を書き込んで再送する（ステップ２）ようにしたことを特徴とする。
【００１８】
このように構成すれば、送信装置から送信したフレームが既に受信したフレームであるかを受信装置側で判断することができるので、再送フレームデータなのかを認識するためのサーチ処理が不要となる。
（２）請求項２記載の発明は、以下の通りである。図２は本発明の原理ブロック図である。図６と同一のものは、同一の符号を付して示す。図に示すシステムは、第１の通信装置と第２の通信装置とが無線でデータの送受を行なう移動体通信システムを構成している。図において、１は第１の通信装置、４は第２の通信装置であり、それぞれアンテナ３，６を介して無線通信を行なうようになっている。
【００１９】
第１の通信装置１において、１０はフレームのオーバヘッドの部分に再送バッファの使用位置を記憶するバッファ管理番号を付与するバッファ管理番号付与手段、１１は何れか一方の通信装置が送信装置として機能する場合に、相手方受信装置からデータ受信異常の制御信号を受け取ったら、前記バッファ管理番号付与手段１０を起動してバッファ管理番号記憶部分に再送するフレームのフレーム番号を書き込んで再送する制御手段である。
【００２０】
このように構成すれば、制御手段１１が前記バッファ管理番号付与手段１０を起動してバッファ管理番号記憶部分に再送するフレームのバッファ番号を書き込んで再送するようにしているので、受信装置側では、送信されてきたフレームデータが既に正常に受信しているフレームデータであるのか否かを速やかに認識することができる。従って、格納される再送バッファが容易に特定でき、再送バッファが削減できると共に、再送フレームデータなのかを認識するためのサーチ処理が不要な移動体通信方法及びシステムを提供することができる。
（３）請求項３記載の発明は、前記第１の通信装置は無線基地局、第２の通信装置は移動基地局であることを特徴とする。
【００２１】
このように構成すれば、無線基地局と移動基地局間でデータの転送を行なうことができる。
（４）請求項４記載の発明は、前記移動基地局は、無線基地局から再送されてきたフレームデータを受け取って、当該フレームデータのバッファ管理番号記憶部分からバッファ番号を読み取り、該バッファ番号が既に送信されているフレームデータのバッファ番号と同じであることを認識すると、当該フレームデータを破棄することを特徴とする。
【００２２】
このように構成すれば、既に転送されているフレームデータと、再送データが同一のものであれば、再送フレームデータを破棄することで、正常な状態を保持することができる。
【００２３】
【発明の実施の形態】
以下、図面を参照して本発明の実施の形態例を詳細に説明する。
【００２４】
図３は本発明の一実施の形態例を示すブロック図である。図２と同一のものは、同一の符号を付して示す。この実施の形態例では、第１の通信装置１として無線基地局を、第２の通信装置４として移動基地局を用いた場合を示している。このように通信装置を決めれば、無線基地局と移動基地局間でデータの転送を行なうことができる。
【００２５】
無線基地局１において、２０はパケットデータをフレームに組み立てるフレーム構成部、２１は該フレーム構成部２０の出力を受けて保持するバッファ、２２は該バッファ２１の出力を順次、アンテナ３から無線送信する通信部である。
【００２６】
１０はフレームのオーバヘッドの部分に再送バッファの使用位置を記憶するバッファ管理番号を付与するバッファ管理番号付与手段としてのバッファ管理番号付与部である。１１は移動基地局４からのデータ受信異常の制御信号を受け取ったら、前記バッファ管理番号付与手段１０を起動してフレームのバッファ管理番号記憶部分に再送するフレームのフレーム番号を書き込んで再送する他、全体の動作を制御する制御手段としての制御部である。
【００２７】
移動基地局４において、３０はアンテナ６からのデータを受信する通信部、３２は該通信部３０からのデータを保持するバッファ、３３は該バッファ３２からのフレームデータをパケットに分解するフレーム処理部である。３１は、データを正常に受け取らなかった場合、無線基地局１側にフレームデータの再送要求を行なう他、全体の動作制御を行なう制御部である。このように構成されたシステムの動作を説明すれば、以下の通りである。
【００２８】
図４は本発明のフレームデータの構成例を示す図である。フレームデータは、図に示すように、オーバヘッド部と実データ部から構成されていることは、図７に示す従来のフレームフォーマットと同じである。違いは、オーバヘッド部に再送するフレームのフレーム番号が書き込まれるバッファ管理番号が設けられた点である。その他の、送信先ＩＤ、フレーム番号、有効パケット数、及び実データ部の構成は従来例と同じである。
【００２９】
即ち、送信先ＩＤは送信先移動基地局を特定するためのＩＤであり、Ｆｒａｍｅ（フレーム）番号はフレーム毎に付与される通番であり、有効パケット数はデータ部に含まれるパケットの数であり、パケット＃ｉ（ｉ＝１〜Ｎ）はパケットデータであり、ＣＲＣはパケット数分のＣＲＣ結果である。
【００３０】
図５は本発明のデータ通信のシーケンス例を示す図である。無線基地局側と移動基地局側とのシーケンスを示している。入力されたパケットは、フレーム構成部２０に入ってフレーム化される。フレーム化されたデータは、バッファ２１に格納される。通信部２２は、バッファ２１に記憶されているデータを読み出し、アンテナ３を介して移動基地局４側へ無線送信する（Ｓ１）。
【００３１】
移動基地局４側では、アンテナ６を介して通信部３０でフレームデータを受信する。通信部３０で受信されたフレームデータは、続くバッファ３２に格納される。バッファ３２に格納されたフレームデータは、１つずつ読み出されてフレーム処理部３３に入る。フレーム処理部３３は、読み出したフレームデータをパケットデータに戻し、出力する。
【００３２】
このような一連のデータ転送動作において、制御部３１はフレームデータを正常に受信すると、指定バッファ３２ａにデータを格納し、ＡＣＫを返す（Ｓ２）。ここで、受信されたバッファ番号は、バッファ３２ａに格納されていく。ＡＣＫデータは、移動基地局側から無線基地局側に転送される（Ｓ３）。
【００３３】
ここで、ステップＳ３において、無線基地局側でＡＣＫデータの受信に失敗した場合は、移動基地局側の受信が失敗した可能性があるので、無線基地局側の制御部１１はフレームデータの再送を行なう（Ｓ４）。この時、制御部１１はフレームデータの再送であることを認識しているので、バッファ管理番号付与部１０を起動して、バッファ２１に格納されているフレームデータのオーバヘッド部のバッファ管理番号記憶部に再送するバッファの番号を書き込んで再送する（Ｓ５）。
【００３４】
このように構成すれば、制御手段１１が前記バッファ管理番号付与手段１０を起動してバッファ管理番号記憶部分に再送するフレームのフレーム番号を書き込んで再送するようにしているので、受信装置側では、送信されてきたフレームデータが既に正常に受信しているフレームデータであるのか否かを速やかに認識することができる。従って、格納される再送バッファが容易に特定でき、再送バッファが削減できると共に、再送フレームデータなのかを認識するためのサーチ処理が不要な移動体通信方法及びシステムを提供することができる。
【００３５】
ここで、移動基地局側では、このフレームデータを通信部３０で受け取ってバッファ３２に格納する。制御部３１はバッファ３２に格納されたフレームデータの内のバッファ管理番号記憶部に記憶されているバッファ番号を読み取る。ここで、バッファ番号が既にバッファ３２ａに格納されているバッファ番号と一致する場合には、既にそのフレームデータは受け取っていることになるので、制御部３１は受信したフレームデータを破棄する（Ｓ６）。
【００３６】
このように、本発明によれば、既に転送されているデータと、再送データとが同一のものであれば、再送フレームデータを破棄することで、正常な状態を保持することができる。
【００３７】
上述の実施の形態例では、第１の通信装置として無線基地局を、第２の通信装置として移動基地局を用いた場合を例にとった。しかしながら、本発明はこれに限るものではなく、第１の通信装置と第２の通信装置間でデータの送受信を行なうシステムであれば、同様に本発明を適用することができる。
【００３８】
【発明の効果】
本発明によれば、以下のような効果が得られる。
（１）請求項１記載の発明によれば、送信装置から送信したフレームが既に受信したフレームであるかを受信装置側で判断することができるので、再送フレームデータなのかを認識するためのサーチ処理が不要となる。
（２）請求項２記載の発明によれば、制御手段が前記バッファ管理番号付与手段を起動してバッファ管理番号記憶部分に再送するフレームのフレーム番号を書き込んで再送するようにしているので、受信装置側では、送信されてきたフレームデータが既に正常に受信しているフレームデータであるのか否かを速やかに認識することができる。従って、格納される再送バッファが容易に特定でき、再送バッファが削減できると共に、再送フレームデータなのかを認識するためのサーチ処理が不要な移動体通信方法及びシステムを提供することができる。
（３）請求項３記載の発明によれば、無線基地局と移動基地局間でデータの転送を行なうことができる。
（４）請求項４記載の発明によれば、既に転送されているフレームデータと、再送データが同一のものであれば、再送フレームデータを破棄することで、正常な状態を保持することができる。
【００３９】
このように、本発明によれば、格納される再送バッファが容易に特定でき、再送バッファが削減できると共に、再送フレームデータなのかを認識するためのサーチ処理が不要な移動体通信方法及びシステムを提供することができる。
【図面の簡単な説明】
【図１】本発明方法の原理を示すフローチャートである。
【図２】本発明の原理ブロック図である。
【図３】本発明の一実施の形態例を示すブロック図である。
【図４】本発明のフレームデータの構成例を示す図である。
【図５】本発明のデータ通信のシーケンス例を示す図である。
【図６】無線通信システムの概念図である。
【図７】フレームデータの従来構成例を示す図である。
【図８】従来のデータ通信のシーケンス例を示す図である。
【符号の説明】
１  通信装置
２  バッファ
３  アンテナ
４  通信装置
５  バッファ
６  アンテナ
１０  バッファ管理番号付与手段
１１  制御手段
【図１】
2004349783.tif 000003
【図２】
2004349783.tif 000004
【図３】
2004349783.tif 000005
【図４】
2004349783.tif 000006
【図５】
2004349783.tif 000007
【図６】
2004349783.tif 000008
【図７】
2004349783.tif 000009
【図８】
2004349783.tif 000010